(57)【特許請求の範囲】
【請求項１】
所定の外部装置と通信路を介して接続され、該通信路を通じて前記外部装置側とデータの受け渡しを可能とするデータ通信手段と、データ処理すべき基本単位動作の具体的内容を特定するための１又は複数種類の参照情報を含む処理指示語を複数記憶可能とする事象データ記憶手段と、該事象データ記憶手段に記憶された各処理指示語を順次に解読し、各処理指示語に含まれる前記参照情報で特定される前記基本単位動作に対応する所定のデータ処理を行う表示制御手段とを備えたプログラム式表示装置で使用する操作画面の作成支援装置であって、
前記操作画面は互いに関連付けられた複数の単位画面で構成され、
作成中の前記単位画面をディスプレイ上に表示可能とする画面表示手段と、
前記参照情報中にあって更新を許容する参照情報を予め設定可能とする登録手段と、
該登録手段で更新許容に設定された参照情報を、前記ディスプレイ上において一覧形式で表示可能とする一覧表示手段と、
該一覧表示手段に表示された前記参照情報の更新を可能とするデータ修正手段とを備え、
前記単位画面は、前記基本単位動作のデータ処理を可能とする処理指示語と、複数の処理指示語を予め一体に組み合わせることにより所定の機能的な動作のデータ処理を可能とする機能部品とをベース画面上に配設することにより構成され、更に、
前記一覧表示手段は、１つの操作画面を構成する全単位画面に配設された前記処理指示語に含まれる全ての参照情報中から、所定の基準で選択された特定種類の参照情報群を抽出可能とするとともに、該抽出された参照情報群を更に所定の並び順で一覧形式に表示可能とするものであって、
該一覧形式で選択的に表示された前記特定種類の参照情報群中の各参照情報が前記データ修正手段によって更新されると、その更新内容が前記事象データ記憶手段に記憶された対応する参照情報および前記画面表示手段における表示内容に反映されることを特徴とする操作画面作成支援装置。
【請求項２】
前記画面表示手段では、作成中の前記単位画面が縮小表示される一方、
前記データ修正手段による更新中の参照情報に対応する位置が、前記縮小表示された単位画面中で特定されることを特徴とする請求項１記載の操作画面作成支援装置。
【請求項３】
所定の外部装置と通信路を介して接続され、該通信路を通じて前記外部装置側とデータの受け渡しを可能とするデータ通信手段と、データ処理すべき基本単位動作の具体的内容を特定するための１又は複数種類の参照情報を含む処理指示語を複数記憶可能とする事象データ記憶手段と、該事象データ記憶手段に記憶された各処理指示語を順次に解読し、各処理指示語に含まれる前記参照情報で特定される前記基本単位動作に対応する所定のデータ処理を行う表示制御手段とを備えたプログラム式表示装置で使用する操作画面の作成支援用プログラムを記録したコンピュータ読み取り可能な記録媒体において、
前記操作画面は互いに関連付けられた複数の単位画面で構成され、
作成中の前記単位画面をディスプレイ上に表示可能とする画面表示手段と、
前記参照情報中にあって更新を許容する参照情報を予め設定可能とする登録手段と、
該登録手段で更新許容に設定された参照情報を、前記ディスプレイ上において一覧形式で表示可能とする一覧表示手段と、
該一覧表示手段に表示された前記参照情報の更新を可能とするデータ修正手段としてコンピュータに機能させるためのプログラムを記録したコンピュータ読み取り可能な記録媒体であり、
前記単位画面は、前記基本単位動作のデータ処理を可能とする処理指示語と、複数の処理指示語を予め一体に組み合わせることにより所定の機能的な動作のデータ処理を可能とする機能部品とをベース画面上に配設することにより構成され、更に、
前記一覧表示手段は、１つの操作画面を構成する全単位画面に配設された前記処理指示語に含まれる全ての参照情報中から、所定の基準で選択された特定種類の参照情報群を抽出可能とするとともに、該抽出された参照情報群を更に所定の並び順で一覧形式に表示可能とするものであって、
該一覧形式で選択的に表示された前記特定種類の参照情報群中の各参照情報が前記データ修正手段によって更新されると、その更新内容が前記事象データ記憶手段に記憶された対応する参照情報および前記画面表示手段における表示内容に反映されることを特徴とする操作画面作成支援用プログラムを記録したコンピュータ読み取り可能な記録媒体。
【発明の詳細な説明】
【０００１】
【発明の属する技術分野】
この発明は、工業用あるいは家庭用など各種のプログラム式表示装置にあって、操作あるいは表示用として使用する操作画面の作成方法に関する。
【０００２】
【従来の技術】
この種の操作画面作成用として本出願人は以前、予めデータ登録しておいた部品図形データを利用し、部品図形の選択および配置をディスプレイ上で行うことにより、必要な操作画面が容易に作成できる操作画面作成装置を提案した（例えば、特開平７−２２５７８９号公報参照）。
【０００３】
更に、前記した操作画面作成装置を利用して基本的な操作画面を作成する一方、作成した画面をディスプレイ上で複写するとともに、各部品図形毎の指定アドレスや表示色などの設定項目を手動で個別に変更することにより、新たな操作画面を作成する方法も考えられる。
【０００４】
【発明が解決しようとする課題】
しかしながら、上記した操作画面の作成を部品図形データの利用によって行う方法にあっては、必要とする画面毎に個別に画面設計を行う必要があるため、依然として操作画面の作成に多くの時間を要する。
【０００５】
これに対して、予め作成しておいた操作画面を利用する方法にあっては、操作画面の作成時間が短縮される反面、アドレスの設定箇所の様に画面動作に必要な変更箇所を予め理解しておく必要があるため、第三者が作成した操作画面を利用する場合は変更を要する箇所を判断すること自体に手間を要するとともに、ともすると設定の変更漏れが発生するなど使い勝手が悪い。
【０００６】
本発明はかかる不都合に鑑みてなされたものであって、操作画面の作成時に修正を必要とするデータ項目を特定する一方、変更画面においては修正が特定されたデータ項目を一覧可能な表形式で表示することにより、操作画面の作成ウインドウを開くことなしに変更を必要とするデータ項目が容易に判断でき、簡易に操作画面の作成および修正ができる方法を提供することを目的とする。
【０００７】
【課題を解決するための手段】
本発明を実施するプログラム式表示装置２２は、図１にその全体的な構成を概略的に示すごとく、所定の外部装置１０と通信路１２を介して接続され、その通信路１２を通じて外部装置１０側とデータの受け渡しを可能とするデータ通信手段１４と、処理すべき単位動作の内容を特定する参照情報を含む複数の処理指示語を記憶可能とする事象データ記憶手段１６と、その事象データ記憶手段１６に備えた処理指示語を解読し、各処理指示語で参照される情報に対応した表示をディスプレイ１８上で行う表示制御手段２０とを備えている。
【０００８】
本発明は上記した参照情報中にあって、更新を許容するデータ項目を予め特定する一方、特定されたデータ項目を図９の様に一覧表示可能とするとともに、表示された各データ項目毎にデータの修正を可能としたことを特徴とする。
【０００９】
上記した操作画面２４は、図３に例示する如く、ベース画面３６上に配設される１または複数の機能部品３７と、各機能部品３７毎の動作内容を特定する図４のような１または複数の処理指示語Ｗとの組み合わせで構成され、その処理指示語Ｗにおける設定項目が、各機能毎に区分された一覧形式で表示される。
【００１０】
上記した操作画面２４は、互いに関連付けられた複数の単位画面から構成され、上記した一覧表示中には、全単位画面で参照される選択された設定項目が同時に表示されることが好ましい。
【００１１】
【発明の効果】
本発明は上記の如く、操作画面の作成時に修正を必要とするデータ項目を特定する一方、変更画面においては修正が特定されたデータ項目を一覧可能な表形式で表示することにより、操作画面の作成ウインドウを開くことなしに変更を必要とするデータ項目が容易に判断でき、簡易に操作画面の作成および修正ができる。
【００１２】
【発明の実施の形態】
以下本発明を、操作画面の作成支援装置およびそこで作成された操作画面を利用するプログラム式表示装置２２の構成に基づいて具体的に説明する。なお、プログラム式表示装置２２に接続する外部装置として、図２の様に工業用のプログラマブルコントローラ（以下、「ＰＬＣ」と略す。）を使用した例に基づいて具体的な説明を行うが、外部装置として汎用あるいは専用のコンピュータあるいはその他の制御装置を使用したもの、あるいは家庭内における各種電気製品の動作を制御する装置にあっても、略同様に実施できることは勿論である。更に作成された操作画面を使用するプログラム式表示装置２２の構成も一例であって、その構成が限定されるものではない。
【００１３】
プログラム式表示装置２２は、ＰＬＣ２６とともにターゲットシステム２８の操作卓などに一体に組み込み、あるいはそれ自身が独立して配備され、ターゲットシステム２８に対する操作および表示盤として使用されるものであって、後で詳述する処理指示語を用いて各種の設定あるいは制御動作を行なわせる。
【００１４】
ターゲットシステム２８を制御するＰＬＣ２６は、ＣＰＵユニットやメモリユニットなどの必要とする個別の機能毎に回路がユニット化され、各ユニットを必要に応じて適宜増減可能に並列接続することにより、ＰＬＣ２６における全体として達成される機能を変更可能とする従来と略同様な構成のものである。
【００１５】
また、ターゲットシステム２８に対して入出力される各種情報の格納場所が、制御あるいは表示すべきターゲットシステム２８上に備えたレベル計やリミットスイッチの様な受動部品あるいはリレーやモータの様な能動部品毎にメモリユニット上に確保され、入出力されるデータが数値の様なワードデータに対してはワードデバイスが、オンオフ情報の様なビットデータに対してはビットデバイスが指定されるとともに、各デバイスに対して例えば「Ｄ１００」の様な機種固有のデバイス名を予め設定することにより、デバイス名の指定によって格納場所を特定可能に必要なデータがメモリユニット内に格納されている。
【００１６】
従って、ＰＬＣ２６の内外部からメモリユニット内における任意のワードデバイスあるいはビットデバイスに対してデバイス名を指定してアクセスするだけで、ＰＬＣ２６内の実際のアドレスを知ることなく、ターゲットシステム２８の対応位置を制御し或いはその動作状態に関するデータが個別に取り出せる様にしている。
【００１７】
プログラム式表示装置２２はパソコン装置と略同様の構成であって、図２に示す表示制御回路３０を備えるとともに、ディスプレイ１８における画面を透明なタッチパネル３２により密着状態で覆い、タッチパネル３２に対する押圧操作による指示は、タッチパネルコントローラ３４を介して取り込まれて座標が解析され、テスト時、システム全体としての運転開始前における初期設定時あるいは運転中における指先による各種手動操作を可能とする。
【００１８】
ここでプログラム式表示装置２２においては、図３に例示する如く、表示内容に変更を要しない図形や文字が表示されたベース画面３６、および所定の機能動作を実行する処理指示語あるいは指示処理語を組み合わせて構成されてベース画面３６上で形状変化や点滅あるいは色変化させるランプやスイッチの様な各種の機能部品３７を、必要とする表示単位毎に１つのファイル番号Ｆを指定し格納しておく。
【００１９】
一方、図５の様に事象データ用メモリ３８上に予め格納しておいた図４で例示する処理指示語Ｗを微小時間毎に間欠的に読み出し、各処理指示語Ｗの事象名Ｎで特定される内容の動作をＰＬＣ２６側から取り出されたデータを参照しながら順次に実行することにより、ＰＬＣ２６側のビットデバイスあるいはワードデバイスの内容変化に即応して表示図形や数値が変化する表示動作が行われる。
【００２０】
処理指示語Ｗの基本的な構成は、図４（ａ）の如く、表示制御動作を実行すべきベース画面３６のファイル番号Ｆと、そのベース画面３６上で実行すべき動作内容を特定する事象名Ｎと、各実行事象毎に参照される１又は複数のデータからなる参照情報ｒとを１組として備えている。
【００２１】
例えば、図４（ｂ）に示す処理指示語ＷＴは、タッチパネル３２に対する押圧操作と連動して、状態データ用メモリ４０内の所定ビット位置のデータを反転可能とするものである。すなわち、ベース画面３６のファイル番号Ｆ、タッチパネル３２の操作を特定する例えば「Ｔ」から始まる事象名Ｎ、タッチパネル３２からの入力操作を有効とする入力座標範囲Ｘ・Ｙ、タッチパネル３２の押し操作と連動してデータを書き換えるべきビット位置Ａとから構成される。
【００２２】
更に図４（ｃ）に示す処理指示語ＷＬは、上記したタッチパネル３２の操作と連動して、対応位置に所定の図形を表示可能とするものである。すなわち、例えばＲＡＭ４２上に展開した状態データ用メモリ４０内の所定ビット位置の変化に対応して、ベース画面３６上の所定位置に所定の機能部品図形４４を表示可能とするものであって、ベース画面３６のファイル番号Ｆ、機能部品図形４４の表示を特定する例えば「Ｌ」から始まる事象名Ｎ、機能部品図形４４の表示座標範囲Ｘ・Ｙ、グラフィック用メモリ４６から呼び出す部品図形４４を特定するファイル番号ＦＬ、部品図形４４を表示時に参照する状態データ用メモリ４０内のビット位置Ａとから構成される。
【００２３】
また図４（ｄ）に示す処理指示語ＷＳは、所定の座標位置に文字列４８を表示可能とするものであって、ベース画面３６のファイル番号Ｆ、文字列４８の表示を特定する例えば「Ｓ」から始まる事象名Ｎ、文字列４８の表示座標範囲Ｘ・Ｙ、文字列４８の書体や文字サイズのような文字列４８の表示情報Ｄ、表示すべき文字列４８を文字列データ用メモリ５０中で特定する管理番号Ｋとから構成される。
【００２４】
そこで図５（ａ）の様に、座標範囲Ｘ１・Ｙ１を互いに一致させた３つの処理指示語ＷＬ１・ＷＴ１・ＷＳ１を事象データ用メモリ３８に設定しておく。更に、処理指示語ＷＬ１およびＷＴ１の参照ビット位置Ａ１を一致させるとともに、状態データ用メモリ４０のビット位置Ａ１のデータが「０」の場合、それをスイッチのオフ状態に予め対応させておく。
【００２５】
かかる状態で表示装置２２を起動すると、ＰＬＣ２６ではスイッチ接点のオフ動作を行う。それと同時に、スイッチのオフ状態に対応する部品図形４４のデータＦＬ１をグラフィック用メモリ４６から読み出し、ベース画面３６上の座標範囲Ｘ１・Ｙ１に展開して表示し、更にその部品図形４４上には、図３で例示するような文字列４８が重畳して表示される。
【００２６】
ここでタッチパネル３２におけるスイッチ形状の機能部品図形４４の表示場所を押すと、タッチパネル用の処理指示語ＷＴを検索し、タッチパネル３２を介してなされた指示座標から該当の座標を含む範囲を参照情報ｒとして有する処理指示語ＷＴの有無を判定する。
【００２７】
例えば、座標範囲Ｘ１・Ｙ１の内の一点が押された場合、上記の様にして構成された処理指示語ＷＴ１に対応するので、図５（ｂ）に示す如く、該当のビット位置Ａ１におけるデータ値を「０」から「１」に反転し、ＰＬＣ２６により該当のスイッチ接点をオンさせる。それと同時に、処理指示語ＷＬ１は参照ビットが「１」に変化したことを判断し、スイッチのオン状態に対応する機能部品図形４４のデータＦＬ２をグラフィック用メモリ４６から読み出して該当の座標範囲Ｘ１・Ｙ１上に表示することにより、ディスプレイ１８上に表示されたスイッチ形状の機能部品図形４４も、オフ状態からオン状態へと変更されるのである。
【００２８】
本発明を実施する操作画面作成支援装置５２は、図６に示すごとく、上記したプログラム式表示装置２２で使用する１または複数の単位画面ファイル５４、および各単位画面から呼び出して表示するための関連する図形ファイル５６と文字列ファイル５８とからなるプロジェクトファイル６０を作成するためのものであって、例えばマウスの様なポインティングデバイスをディスプレイ上における指示入力手段として使用した汎用的なパソコン装置、専用のデータ処理装置あるいは上記したプログラム式表示装置２２が使用され、所定のプログラムを用いて図７に例示する各種の機能を実現する様にしている。
【００２９】
すなわち、ディスプレイの画面上において必要な各種の表示動作を処理する表示部６２と、円や直線の様な描画図形の作成部６４と、スイッチやランプの様な機能部品の配置部６６と、各種処理指示語Ｗのベース画面３６に対する設定部６８と、１枚のベース画面３６上に配設された描画図形４４、文字列４８、機能部品３７あるいは処理指示語Ｗに含まれる各データを整理することによって制御に必要な画面データを作成する画面データ合成部７０と、作成された各種のデータを格納する画面データ記憶部７２と、その画面データ記憶部７２に格納された画面データを修正するための画面データ修正部７４とから構成される。
【００３０】
描画図形作成部６４は、従来の作図装置と略同様に、直線や曲線を主体とする線画あるいはその内部を所定の色や模様で塗りつぶすことにより、任意の描画図形をベース画面３６上で作成できる様にしている。
【００３１】
機能部品配置部６６は、描画図形４４や処理指示語Ｗを用いてスイッチやランプの様な汎用的な機能部品用のデータ群を予め多数蓄積しておき、必要に応じて機能部品３７を取り出してベース画面３６上における任意位置に配設するとともに、その大きさをベース画面３６上で確認しながら任意に設定可能とするものである。
【００３２】
処理指示語設定部６８は、システムが用意する処理指示語群中から、必要とする機能の処理指示語Ｗをベース画面３６上に個別に設定可能とすることにより、上記の様な部品として汎用化されていない新たな機能を任意に構成できる様にしている。
【００３３】
画面データ合成部７０は、上記の様にしてベース画面３６上で構成された各要素におけるデータを１つにまとめて１つの単位画面ファイル５４を構成するとともに、複数の単位画面ファイル５４を１つにまとめることにより、図６の様なプロジェクトファイル６０が構成される様にしている。
【００３４】
画面データ記憶部７２はハードディスク装置の様な任意の記憶装置が使用され、上記の様にして画面データ合成部７０で構成された画面データを格納するとともに、必要に応じてデータ通信部７６を介し、プログラム式表示装置２２側に各種のデータをダウンロードさせる。
【００３５】
表示部６２は、図８に例示するファイル管理用ウインドウ７８を中心とし、その管理用ウインドウ７８からの選択で、図示しない従来と略同様な構成の単位画面作成用ウインドウや、図９に例示する画面データ修正用ウインドウ８０に切り換えて表示することを可能としている。
【００３６】
ファイル管理用ウインドウ７８は、例えばウインドウの左半分程度を利用してツリー表示欄８２を設け、上記の様にして構成したプロジェクトファイル６０およびそのプロジェクトファイル６０に含まれる１または複数の単位画面ファイル５４につき、その呼び出し関係に対応させたツリー形状で表示する様にしている。
【００３７】
たとえば図８に示す実施例にあっては、３つのプロジェクトファイルＰ１・Ｐ２・Ｐ３があり、プロジェックファイルＰ１には、Ｂ１〜Ｂ３の３枚の単位画面に関するファイルが含まれるとともに、Ｂ１をメイン画面とし、Ｂ１からＢ２およびＢ３の画面が個別に呼び出され、更にＢ２画面からはＢ３画面が呼び出される関係が示されている。
【００３８】
一方、ウインドウの右側部分にはファイルデータ表示欄８４を設け、ツリー表示欄８２中のプロジェクトファイル記号をクリックすることによって選択されたプロジェクトファイル６０に含まれる全ての単位画面ファイルが一覧表示されるものであって、図示例にあっては、プロジェクトファイルＰ１を選択することにより、そのプロジェクトファイルＰ１に含まれる３つの単位画面ファイルＢ１・Ｂ２・Ｂ３が一覧可能な表形式で表示されている。
【００３９】
このファイル管理用ウインドウ７８上に表示された単位画面ファイル名またはフィル記号を選択すると、従来と略同様に、対応する単位画面の作成用ウインドウが開いて単位画面を単位としたデータ内容の更新を可能とする。
【００４０】
しかしながら本発明にあっては、プロジェクトファイル６０を単位としたデータの修正あるいは、修正したプロジェクトファイル６０をそのまま利用した新たなプロジェクトファイル６０の作成を可能としている。
【００４１】
この場合、１つのプロジェクトファイル６０を選択した状態でデータ修正動作を選択すると、画面データ修正部７４が作動するとともに、選択されたプロジェクトファイル６０に対し、図９に例示する画面データ修正用ウインドウ８０が開く。
【００４２】
本発明は、この画面データ修正部７４におけるプロジェクトファイル６０を単位としてデータ修正を可能とする構成に特徴を有するものである。ここで、各単位画面を構成する機能部品あるいは処理指示語を単位とし、その機能部品あるいは処理指示語中に変更を必要とするデータが含まれるか否かを指示するための更新指示用のフラグないしはデータを含んでいる。
【００４３】
ところで、機能部品の配置位置の様な多くのデータは設定変更ができないかしてはならないものであるため、この更新指示フラグの既定値は「更新不要」を指示する様に設定されている。しかしながら、銘板の文字列の様に、データ修正をすれば他の制御場面においても再利用可能と考えられるか修正が必須と思われる処理指示語あるいは機能部品に対しては、上記した各単位画面の作成時のような適当な時期に、「更新必要」を指示しておく。
【００４４】
一方、図９に示す画面データ修正ウインドウ上には、選択されたオブジェクトファイル内で定義されている全ての機能部品および処理指示語中で、上記の様にして更新が必要であることが予め指示されたもののみが抽出され、更に修正項目欄８６上に、機能毎や単位画面毎など所定の基準でソートされた状態で一覧表示される。
【００４５】
ところでこの修正項目は、機能部品や処理指示語を単位として表示することも可能である。しかしながら本実施例にあっては、文字列データ、グラフィックデータあるいは参照アドレスの様に、個別の操作画面毎にその内容を変更することが一般的であるか変更することが多い類似の内容を表示単位とし、例えばプレビュー画面８８で単位画面上での参照位置を特定可能としながら一覧表示する様にしている。
【００４６】
更にこの修正項目欄８６上に表示された各項目は、該当位置に表示された例えば文字列データを直接的に修正したあと確認ボタンを押すことにより、一覧表示されたデータは更新される。
【００４７】
更に文字フォントのような関連するデータ項目の変更も必要とする場合は、１つの修正項目を選択してデータ修正を実行すると、その項目に対する修正画面が開いて必要なデータ修正が可能となるとともに、修正後のデータの確定を選択すると、変更部分のデータがプロジェクトファイル６０上に書き込まれ、各個の単位画面を開くことなくデータの更新が完了するのである。
【００４８】
なお上記した更新指示フラグにおける指示範囲は、機能部品または処理指示語を単位とするのではなく、変更を要する各データの項目毎に設定するなど、任意に変更することができる。同様に、修正画面上に表示する設定項目も、適宜変更できることは勿論である。また、更新の指示範囲に加えて、更新の優先度あるいは分類の設定を設け、修正項目の一覧表示をより木目細かく変更することも可能である。
【図面の簡単な説明】
【図１】本発明を実施するプログラム式表示装置の概略的な構成を例示する説明図である。
【図２】プログラム式表示装置の具体的な一例を示すブロック図である。
【図３】操作画面の一例を示す説明図である。
【図４】処理指示語の構成を示す説明図であって、（ａ）は処理指示語の基本的な構成、（ｂ）はタッチパネルを用いたデータ入力用の処理指示語の構成、（ｃ）は図形表示用の処理指示語の構成、（ｄ）は文字列表示用の処理指示語の構成を各々示す。
【図５】プログラム式表示装置の処理指示語を用いた動作手順を示す説明図である。
【図６】プロジェクトファイルの構成を示す説明図である。
【図７】操作画面作成支援装置の概略的な構成を示すブロック図である。
【図８】ファイル管理用ウインドウの一例を示す説明図である。
【図９】画面データ修正用ウインドウの一例を示す説明図である。
【符号の説明】
１０  外部装置
１２  通信路
１４  データ通信手段
１６  事象データ記憶手段
１８  ディスプレイ
２０  表示制御手段
２２  プログラム式表示装置
２４  操作画面
２６  ＰＬＣ
２８  ターゲットシステム
３０  表示制御回路
３２  タッチパネル
３４  タッチパネルコントローラ
３６  ベース画面
３７  機能部品
３８  事象データ用メモリ
４０  状態データ用メモリ
４２  ＲＡＭ
４４  機能部品図形
４６  グラフィック用メモリ
４８  文字列
５０  文字列データ用メモリ
５２  操作画面作成支援装置
５４  単位画面ファイル
５６  図形ファイル
５８  文字列ファイル
６０  プロジェクトファイル
６２  表示部
６４  描画図形作成部
６６  機能部品配置部
６８  処理指示語設定部
７０  画面データ合成部
７２  画面データ記憶部
７４  画面データ修正部
７６  データ通信部
７８  ファイル管理用ウインドウ
８０  画面データ修正用ウインドウ
８２  ツリー表示欄
８４  ファイルデータ表示欄
８６  修正項目欄
８８  プレビュー画面
【図１】
0003832990.tif 000002
【図２】
0003832990.tif 000003
【図３】
0003832990.tif 000004
【図４】
0003832990.tif 000005
【図５】
0003832990.tif 000006
【図６】
0003832990.tif 000007
【図７】
0003832990.tif 000008
【図８】
0003832990.tif 000009
【図９】
0003832990.tif 000010